(57)【特許請求の範囲】
【請求項１】
床下地の上に載置された温水パイプユニットを覆うように床仕上材が敷設された温水式床暖房フロアであって、
前記温水パイプユニットは、所定のパイプパターンに整形された温水パイプが、接着剤を透過する熱伝導性の良好な基材シートの上面に予め固着されたものであり、
前記床仕上材には、その裏面に前記温水パイプが嵌り込むパイプ収容溝が形成されており、
前記床仕上材の裏面と前記基材シートの上面とを固定する接着剤が前記基材シートを透過することによって、床下地の上に載置された前記温水パイプユニットと前記温水パイプユニットを覆うように敷設される前記床仕上材とが一体的に床下地に接着固定されている温水式床暖房フロア。
【請求項２】
前記基材シートが、多数の透孔を有する金属箔によって形成されている請求項１に記載の温水式床暖房フロア。
【請求項３】
前記基材シートが、金属箔からなる均熱層を含む、多数の透孔を有する複層シートによって形成されている請求項１に記載の温水式床暖房フロア。
【発明の詳細な説明】
【０００１】
【発明の属する技術分野】
この発明は、施工性に優れた温水式床暖房フロアに関する。
【０００２】
【従来の技術及び発明が解決しようとする課題】
床下地の上に配設された温水パイプに温水を通すことによって暖房を行う温水式の床暖房フロアとしては、図８（ａ）、（ｂ）に示すように、温水パイプ５２を予め内蔵した床仕上材５１が床下地５３の上に敷設された床仕上材一体型の床暖房フロアと、図９（ａ）、（ｂ）に示すように、温水パイプ６２が内蔵された温水マット６１を床下地６４の上に敷設した後、その上に床仕上材６３を敷設する床仕上材分離型の床暖房フロアとがある。
【０００３】
床仕上材一体型の床暖房フロアでは、上述したように、温水パイプ５２が床仕上材５１に予め内蔵されているので、床下地５３の上に床仕上材５１を敷設していけばよく、床仕上材５１を床下地５３に釘止めする場合にも、指定された位置を釘止めすれば、床仕上材５１に内蔵された温水パイプ５２が損傷を受けることがないという利点がある。
【０００４】
しかしながら、温水パイプ５２が床仕上材５１毎に分断されているので、床仕上材５１を床下地５３の上に敷設する際、隣接する床仕上材５１に内蔵された温水パイプ５２同士をコネクタ等を介して順次接続していかなければならず、床仕上材５１の敷設作業性が悪いといった問題がある。
【０００５】
一方、床仕上材分離型の床暖房フロアでは、床下地６４の上に敷設される温水マット６１を、床仕上材６３の大きさに拘わらず、ある程度の床暖房エリアをまかなうことのできる大きさ（例えば、床仕上材６３の６枚分程度の大きさ）に設定することができるので、床仕上材一体型の床暖房フロアに比べて、温水パイプ６２の接続箇所が少なくなり、温水マット６１を効率よく床下地６４の上に敷設していくことができるという利点がある。
【０００６】
しかしながら、こういった床暖房フロアでは、床仕上材一体型の床暖房フロアとは異なり、温水マット６１の敷設工程及び床仕上材６３の敷設工程の２工程が必ず必要となるので、床暖房フロア全体の施工性はよいとはいえない。
【０００７】
また、床仕上材６３を敷設する際、床下地６４の上に敷設された温水マット６１に床仕上材６３を釘止めする場合があるが、先に敷設される温水マット６１に対して、後に敷設される床仕上材６３が確実に位置決めされるわけではないので、両者の相対位置がずれると、所定の釘止め位置に釘を打っても、その釘が温水パイプ６２を貫通する等の施工ミスが発生し易いという欠点もある。
【０００８】
また、通常の床暖房フロアでは、部屋の中央部分のみを床暖房するのが一般的であり、温水マット６１を敷設する部屋の中央部分と、温水マット６１を敷設しない部屋の周辺部分とでは、段差が生じることになるので、例えば、図９（ｂ）に示すように、床暖房を行わない部屋の周辺部分は、床暖房を行う部屋の中央部分に比べて床下地６４を高くしたり、厚みの大きい床仕上材を使用したりすることによって、フロアの仕上げ高さを調整しなければならないといった問題もある。
【０００９】
また、上述した床仕上材一体型と床仕上材分離型の中間的な床暖房フロアとして、図１０（ａ）に示すように、裏面に温水パイプ７４を収容するためのパイプ収容溝７２が形成された床仕上材７１を、同図（ｂ）に示すように、床下地７３の上に敷設した後、同図（ｃ）に示すように、床仕上材７１の端面側からパイプ収容溝７２に温水パイプ７４を挿入するようにしたものがある。
【００１０】
こういった床暖房フロアを採用すると、上述したような床仕上材一体型の床暖房フロアや床仕上材分離型の床暖房フロアがそれぞれ有している欠点を解消することができるが、既に敷設された床仕上材７１のパイプ収容溝７２に長尺の温水パイプ７４をＵターンさせながら通管するのは手間のかかる作業であり、やはり、効率よく床暖房フロアを施工することができない。
【００１１】
そこで、この発明の課題は、上述した従来の温水式床暖房フロアの問題点に鑑み、仕上げ高さの調整等を行うことなく、効率よく施工することのできる温水式床暖房フロアを提供することにある。
【００１２】
【課題を解決するための手段及びその効果】
上記の課題を解決するため、請求項１に係る発明は、床下地の上に載置された温水パイプユニットを覆うように床仕上材が敷設された温水式床暖房フロアであって、前記温水パイプユニットは、所定のパイプパターンに整形された温水パイプが、接着剤を透過する熱伝導性の良好な基材シートの上面に予め固着されたものであり、前記床仕上材には、その裏面に前記温水パイプが嵌り込むパイプ収容溝が形成されており、前記床仕上材の裏面と前記基材シートの上面とを固定する接着剤が前記基材シートを透過することによって、床下地の上に載置された前記温水パイプユニットと前記温水パイプユニットを覆うように敷設される前記床仕上材とが一体的に床下地に接着固定されている温水式床暖房フロアを提供するものである。なお、ここにいう「接着剤が透過する基材シート」には、接着剤の透過性能を有する素材によって形成された基材シート以外に、積極的に接着剤の透過孔等を形成した基材シートも含まれる。
【００１３】
以上のように、この温水式床暖房フロアでは、床仕上材一体型の床暖房フロアのように、床仕上材に温水パイプが内蔵されているわけではないが、床下地の上に載置した温水パイプユニットの温水パイプを、パイプ収容溝に嵌め込みながら、裏面に接着剤が塗布された床仕上材を床下地の上に順次敷設していくと、接着剤を介して床仕上材と温水パイプユニットの基材シートとが接着固定されると共に、基材シートを透過した接着剤によって床下地と基材シートまたは床仕上材とが同時に接着固定されるので、温水マット等を床下地に固定しなければならない従来の床仕上材分離型の床暖房フロアとは異なり、温水パイプユニットを単独で床下地に接着固定する必要がなく、しかも、温水パイプユニット自体の大きさをある程度大きく設定することができるので、従来の床仕上材分離型の床暖房フロアと同様に、隣接する床仕上材の間で温水パイプを接続しなければならない従来の床仕上材一体型の床暖房フロアに比べて、温水パイプの接続箇所が少なくなり、効率よく床暖房フロアを施工することができる。
【００１４】
また、床下地の上に載置した温水パイプユニットの温水パイプを、パイプ収容溝に嵌め込みながら、床仕上材を床下地の上に順次敷設していけばよいので、床仕上材を床下地の上に敷設した後、パイプ収容溝に温水パイプを通管する従来の床暖房フロアのように、手間のかかる温水パイプの通管作業が不要であり、短時間で簡単に床暖房フロアを施工することができる。
【００１５】
また、この温水式床暖房フロアでは、従来の床仕上材一体型の床暖房フロアのように、温水パイプが床仕上材に内蔵されているわけではないが、床仕上材に形成されたパイプ収容溝に温水パイプユニットの温水パイプが収容されるようになっているので、温水パイプユニットを載置した部分とそれ以外の部分との間で段差が生じることがなく、従来の床仕上材一体型の床暖房フロアと同様に、フロアの仕上げ高さを調整する必要がないという効果がある。
【００１６】
また、温水パイプユニットは、温水パイプが固着される基材シートが、良好な熱伝導性を有しているので、温水パイプを通過する温水の熱が基材シートを介して床仕上材に均一に伝達され、床仕上材表面の温度ムラを確実に抑えることができる。従って、床仕上材に均熱シートを練り込んでおく必要がなく、床仕上材を効率よく製造することができるという効果も得られる。
【００１７】
また、請求項２に係る発明の温水式床暖房フロアのように、前記基材シートが、多数の透孔を有する金属箔によって形成されているものにあっては、基材シートに固着された温水パイプの伸縮が押えられるので、床仕上材に形成されたパイプ収容溝に温水パイプを確実に嵌め込むことができ、床仕上材の敷設作業を円滑に行うことができる。
【００１８】
特に、請求項３に係る発明の温水式床暖房フロアのように、前記基材シートを、金属箔からなる均熱層を含む、多数の透孔を有する複層シートによって形成しておくと、金属箔単体によって形成されている基材シートに比べて腰が強くなり、温水パイプユニットを取り扱う際に基材シートが皺くちゃになりにくく、また、基材シートが折れ曲がったような場合でも、元の状態に容易に復元することができるので、良好な取扱性を確保することができる。
【００１９】
【発明の実施の形態】
以下、実施の形態について図面を参照して説明する。図１及び図２に示すように、この温水式床暖房フロア１は、捨貼合板等からなる床下地１０と、この床下地１０の上に載置される温水パイプユニット２０と、床下地１０の上に載置された温水パイプユニット２０を覆うように床下地１０の上に敷設される床仕上材３０とから構成されている。
【００２０】
前記温水パイプユニット２０は、図２及び図３に示すように、両端部で交互にＵターンさせながら平面略長方形状に整形した、口径が５Ａの長尺の温水パイプ２１と、この温水パイプ２１が固着された基材シート２２とから構成されており、前記温水パイプ２１は架橋ポリエチレンによって形成されている。
【００２１】
前記基材シート２２は、図４に示すように、厚さ５０μｍのアルミニウム箔２４が、厚さ３０μｍのポリエチレンフィルム２３と目付が２３ｇ／ｍ３の紙間強化紙２５とによってラミネートされた３層ラミネートシートであり、所定のパイプパターンに整形された温水パイプ２１を完全に覆うことができる大きさを有している。
【００２２】
この基材シート２２には、その上面、即ち、ポリエチレンフィルム２３の表面に、温水パイプ２１が熱融着されており、熱融着された温水パイプ２１部分を避けるように、口径３８ｍｍ程度の透孔２２ａが多数形成されている。
【００２３】
前記床仕上材３０としては、温水パイプユニット２０が載置されていない部屋の周辺部分に敷設される周辺パネルと、部屋の中央部分に載置された温水パイプユニット２０における温水パイプ２１の直線部分を覆うように敷設される本体パネルと、温水パイプユニット２０における温水パイプ２１のＵターン部分を覆うように敷設されるＵターンパネルとが使用されており、前記周辺パネルは、本体パネルと同一構成のパネルを使用している。
【００２４】
前記本体パネルは、図２及び図５（ａ）、（ｂ）に示すように、５プライ合板や３プライ合板等の木質板によって形成されたパネル基材３１と、このパネル基材３１の表面に貼着された突板等の表面化粧材３２とから構成されており、本体パネルの表面には、長手方向に伸びる３本の擬似溝３２ａと各擬似溝３２ａ間において短手方向に伸びる複数の擬似溝３２ｂとが形成されていると共に、パネル基材３１の裏面には、上述した温水パイプユニット２０における温水パイプ２１の直線部分を収容するための複数のパイプ収容溝３１ａが一定間隔で形成されている。
【００２５】
前記Ｕターンパネルも、基本的には、前記本体パネルと同一構成を有しているが、図５（ｃ）に示すように、温水パイプ２１の直線部分が収容される直線状のパイプ収容溝３１ａ間に、温水パイプ２１のＵターン部分を収容するための円弧状のパイプ収容溝３１ｂが形成されている。
【００２６】
以上のように構成された温水式床暖房フロアの施工方法について、以下に説明する。まず、図７（ａ）に示すように、床暖房フロアを施工しようとする部屋の一辺側から床下地１０の上に周辺パネル３０ａを敷設した後、同図（ｂ）に示すように、温水パイプユニット２０を床下地１０の所定位置に載置する。この場合、２組の温水パイプユニット２０が使用されている。
【００２７】
次に、同図（ｃ）に示すように、パイプ収容溝３１ａ、３１ｂに温水パイプユニット２０の温水パイプ２１を嵌め込むようにしてＵターンパネル３０ｃを敷設すると、床下地１０の上に載置された温水パイプユニット２０が概ね位置決めされることになるので、各温水パイプユニット２０における温水パイプ２１の両端部をそれぞれ床下地１０の下方側に引き落とし、床下でメインパイプに接続する。
【００２８】
続いて、同図（ｄ）に示すように、パイプ収容溝３１ａに温水パイプ２１を嵌め込みながら本体パネル３０ｂを敷設していく。なお、周辺パネル３０ａ、Ｕターンパネル３０ｃ及び本体パネル３０ｂを敷設する際は、パイプ収容溝３１ａ、３１ｂ部分を除いて各パネルの裏面にそれぞれ接着剤が塗布されているので、図６に示すように、この接着剤Ｖによって、本体パネル３０ｂやＵターンパネル３０ｃと温水パイプユニット２０の基材シート２２とが相互に接着固定されると共に、基材シート２２の透孔２２ａ部分で、本体パネル３０ｂ及びＵターンパネル３０ｃと床下地１０とが同時に接着固定される。
【００２９】
このようにして本体パネル３０ｂを次々と敷設していき、図７（ｅ）に示すように、温水パネルユニット２０における温水パイプ２１の反対側のＵターン部分を覆うように、Ｕターンパネル３０ｃを敷設した後、同図（ｆ）に示すように周辺パネル３０ａを敷設すると、図１に示すような温水式床暖房フロア１が完成する。
【００３０】
以上のように、この温水式床暖房フロア１では、床仕上材一体型の床暖房フロアのように、床仕上材３０に温水パイプ２１が予め内蔵されているわけではないが、床下地１０の上に載置した温水パイプユニット２０の温水パイプ２１を、パイプ収容溝３１ａ、３１ｂに嵌め込みながら、裏面に接着剤Ｖが塗布された床仕上材３０（本体パネル３０ｂ、Ｕターンパネル３０ｃ）を床下地１０の上に順次敷設していくと、上述したように、床仕上材３０が温水パイプユニット２０及び床下地１０に同時に接着固定されるので、温水マット等を床下地に固定しなければならない従来の床仕上材分離型の床暖房フロアとは異なり、温水パイプユニット２０を単独で床下地１０に接着固定する必要がなく、しかも、温水パイプユニット２０自体の大きさをある程度大きく設定することができるので、従来の床仕上材分離型の床暖房フロアと同様に、隣接する床仕上材の間で温水パイプを接続しなければならない従来の床仕上材一体型の床暖房フロアに比べて、温水パイプ２１の接続箇所が少なくなり、効率よく床暖房フロアを施工することができる。
【００３１】
また、温水パイプユニット２０を床下地１０の上に載置した状態で、その温水パイプ２１をパイプ収容溝３１ａ、３１ｂに嵌め込みながら、床仕上材３０（本体パネル３０ｂ、Ｕターンパネル３０ｃ）を床下地１０の上に順次敷設していけばよいので、床仕上材を床下地の上に敷設した後、床仕上材の端面側からパイプ収容溝に温水パイプを通管する従来の床暖房フロアのように、手間のかかる温水パイプの通管作業を行う必要もなく、短時間で簡単に床暖房フロアを施工することができる。
【００３２】
また、この温水式床暖房フロア１では、床仕上材３０（本体パネル３０ｂ、Ｕターンパネル３０ｃ）に形成されたパイプ収容溝３１ａ、３１ｂに温水パイプユニット２０の温水パイプ２１が完全に収容され、しかも、温水パイプ２１が固着されている基材シート２２は、その厚みが２００μｍ以下に抑えられているので、温水パイプユニット２０を載置した部分とそれ以外の部分との間で段差が生じることがなく、従来の床仕上材分離型の床暖房フロアのように、フロアの仕上げ高さを調整する必要がない。
【００３３】
また、この温水式床暖房フロア１では、温水パイプ２１が床仕上材３０のパイプ収容溝３１ａ、３１ｂに収容されることによって、床仕上材３０に対して温水パイプユニット２０が確実に位置決めされるので、床仕上材３０を床下地１０に釘止めする場合でも、従来の床仕上材分離型の床暖房フロアのように、釘が温水パイプを貫通するといった施工ミスを有効に防止することができるという効果もある。
【００３４】
また、温水パイプユニット２０は、温水パイプ２１が固着される基材シート２２が、良好な熱伝導性を有しているアルミニウム箔２４からなる均熱層を備えているので、温水パイプ２１を通過する温水の熱が基材シート２２を介して床仕上材３０に均一に伝達され、床仕上材３０の表面に発生する温度ムラを確実に抑えることができる。従って、床仕上材３０に均熱シートを練り込んでおく必要がなく、床仕上材３０を効率よく製造することができるという効果も得られる。
【００３５】
また、温水パイプユニット２０の温水パイプ２１が伸縮すると、床仕上材３０の裏面に形成されたパイプ収容溝３１ａ、３１ｂに温水パイプ２１を収容しにくくなるが、温水パイプ２１が固着されている基材シート２２は、伸縮性に乏しいアルミニウム箔２４が挟み込まれた３層ラミネートシートによって形成されているので、このアルミニウム箔２４によって温水パイプ２１の伸縮が確実に抑えられ、裏面に形成されたパイプ収容溝３１ａ、３１ｂに温水パイプ２１を嵌め込みながら床仕上材３０を敷設しなければならない、床仕上材３０の敷設作業を円滑に行うことができる。
【００３６】
また、アルミニウム箔２４がポリエチレンフィルム２３と紙間強化紙２５とによってラミネートされた基材シート２２は、アルミニウム箔等の金属箔単体によって形成されている基材シートに比べて腰が強くなり、温水パイプユニット２０を取り扱う際に、基材シート２２のコーナー部等が皺くちゃになりにくく、基材シート２２が折れ曲がったような場合でも、元の状態に容易に復元することができるので、良好な取扱性を確保することができる。
【００３７】
なお、上述した実施形態では、アルミニウム箔２４をポリエチレンフィルム２３と紙間強化紙２５とによってラミネートした基材シート２２を使用しているが、これに限定されるものではなく、例えば、アルミニウム箔の表裏両面に紙間強化紙が積層された３層構造の基材シートやアルミニウム箔の裏面に紙間強化紙が積層された２層構造の基材シートを使用することも可能である。
【００３８】
また、上述した実施形態では、基材シート２２の表面層を形成しているポリエチレンフィルム２３に温水パイプ２１を熱融着することによって、温水パイプ２１を基材シート２２に固着しているが、これに限定されるものではなく、例えば、アルミニウム箔の表裏両面に紙間強化紙が積層された基材シートのように、温水パイプ２１を熱融着することができない場合は、ホットメルト接着剤等の接着手段を用いて温水パイプ２１を基材シート２２に固着すればよい。
【００３９】
また、上述した実施形態では、基材シート２２に接着剤を透過させるための透孔２２ａを形成しているが、これに限定されるものではなく、基材シート２２を形成している素材自体が接着剤の透過性能を有していれば、特に、基材シート２２に透孔を形成しておく必要はない。
【００４０】
また、上述した実施形態では、均熱層としてアルミニウム箔２４を使用しているが、これに限定されるものではなく、銅箔等の種々の金属箔やカーボン繊維を交絡させた不織布等を使用することも可能である。但し、温水パイプ２１の伸縮を抑えるためには、伸縮性に乏しい金属箔を使用しなければならないことはいうまでもない。
【００４１】
また、上述した実施形態では、所定のパイプパターンに整形された温水パイプ２１の直線部分及びＵターン部分の双方を覆うような基材シート２２を使用しているが、これに限定されるものではなく、例えば、温水パイプ２１の直線部分のみを覆うような基材シートを使用することも可能である。但し、温水パイプ２１の伸縮を考慮すると、直線部分だけでなく、Ｕターン部分についても基材シートに固着しておくことが望ましい。
【図面の簡単な説明】
【図１】この発明にかかる温水式床暖房フロアの一実施形態を示す断面図である。
【図２】同上の温水式床暖房フロアを示す分解断面図である。
【図３】同上の温水式床暖房フロアに使用される温水パイプユニットを示す平面図である。
【図４】同上の温水パイプユニットに使用されている基材シートを示す断面図である。
【図５】（ａ）は同上の温水式床暖房フロアに使用される床仕上材（本体パネル）を示す平面図、（ｂ）は同上の床仕上材（本体パネル）を示す裏面図、（ｃ）は同上の温水式床暖房フロアに使用される床仕上材（Ｕターンパネル）を示す裏面図である。
【図６】同上の温水式床暖房フロアにおける床仕上材及び温水パイプユニットの接着状態を示す部分断面図である。
【図７】（ａ）〜（ｆ）は同上の温水式床暖房フロアの施工方法を示す工程図である。
【図８】（ａ）は従来の床仕上材一体型の温水式床暖房フロアに使用される床仕上材を示す断面図、（ｂ）は同上の温水式床暖房フロアの施工方法を示す工程図である。
【図９】（ａ）は従来の床仕上材分離型の温水式床暖房フロアを示す断面図、（ｂ）は同上の温水式床暖房フロアを示す分解断面図である。
【図１０】（ａ）は従来の他の温水式床暖房フロアに使用される床仕上材を示す断面図、（ｂ）、（ｃ）は同上の温水式床暖房フロアの施工方法を示す工程図である。
【符号の説明】
１  温水式床暖房フロア
１０  床下地
２０  温水パイプユニット
２１  温水パイプ
２２  基材シート
２３  ポリエチレンフィルム
２４  アルミニウム箔
２５  紙間補強紙
３０  床仕上材
３０ａ  周辺パネル
３０ｂ  本体パネル
３０ｃ  Ｕターンパネル
３１  パネル基材
３１ａ、３１ｂ  パイプ収容溝
３２  表面化粧材
【図１】
0004598301.tif 000002
【図２】
0004598301.tif 000003
【図３】
0004598301.tif 000004
【図４】
0004598301.tif 000005
【図５】
0004598301.tif 000006
【図６】
0004598301.tif 000007
【図７】
0004598301.tif 000008
【図８】
0004598301.tif 000009
【図９】
0004598301.tif 000010
【図１０】
0004598301.tif 000011